(57)【要約】【課題】  ネットワーク上に存在するコンテンツデータを効率的に消去することのできる記録再生装置を提供する。【解決手段】  ユーザからの操作入力により、あるコンテンツデータの削除指示が入力される（Ｓ４０１）と、他の記録再生装置に記録されたコンテンツデータも合わせて削除するか否かを問い合わせる選択画面を表示させる（Ｓ４０２）。他の記録再生装置が記憶するコンテンツデータを削除しても良いとの指示がユーザから入力されると、家庭内ネットワーク１７に接続されている他の記録再生装置１３、１４、１５に対して、同一タイトルのコンテンツデータの削除要求を送信し（Ｓ４０３）、削除要求を受けた記録再生装置１３乃至１５は、削除要求を受けた同一タイトルのコンテンツデータを記憶しているか否かを検索し、見つかった場合、これを削除する（Ｓ４０４）。【選択図】      図４
2008092209.tif 000002
【特許請求の範囲】
【請求項１】
コンテンツデータを記憶する記憶部と、
録画予約により、コンテンツデータを前記記憶部に記録する録画部と、
前記記憶部が記憶するコンテンツデータを削除する削除部と、
ネットワークを介して他の記録再生装置と通信する通信部と、
前記通信部を介して接続されている前記他の記録再生装置に対し、前記削除部が削除したコンテンツデータと同一内容のコンテンツデータの削除要求を前記通信部から送信する削除要求部と
を備えることを特徴とする記録再生装置。
【請求項２】
請求項１記載の記録再生装置であって、
前記他の記録再生装置に対し、前記録画部が録画する番組と同一内容の番組の録画要求を前記他の記録再生装置へ送信する録画要求部
をさらに備えることを特徴とする記録再生装置。
【請求項３】
請求項１記載の記録再生装置であって、
前記通信部は、前記他の記録再生装置からのコンテンツデータの削除要求を受信し、
当該削除要求を受けたコンテンツデータと同一内容のコンテンツデータを前記記憶部が記憶しているか否かを判断する判断部
をさらに備えることを特徴とする記録再生装置。
【請求項４】
前記判断部は、タイトル名、コンテンツデータの作成日時及びチャネルのうち少なくとも１つを比較することにより、同一内容のコンテンツデータであるか否かを判断すること
を特徴とする請求項３記載の記録再生装置。
【請求項５】
前記削除要求部は、前記削除部が削除したコンテンツデータに対応付けられた固有の識別子と同一の識別子を有するコンテンツデータの削除要求を前記通信部から送信すること
を特徴とする請求項１記載の記録再生装置。
【請求項６】
請求項１記載の記録再生装置であって、
前記記憶部が記憶するコンテンツデータを再生する再生部と、
前記再生部によるコンテンツデータの再生終了後、当該コンテンツデータと同一内容のコンテンツデータであって、前記ネットワークを介して接続される前記他の記録再生装置が記憶するコンテンツデータを削除するか否かを選択させる選択画面を表示装置に表示させる表示部と
を備えることを特徴とする記録再生装置。
【請求項７】
請求項１記載の記録再生装置であって、
前記記憶部が記憶するコンテンツデータを再生する再生部
をさらに備え、
前記削除要求部は、前記再生部によるコンテンツデータの再生終了後、前記ネットワークを介して接続される全ての前記他の記録再生装置に対し、前記再生部が再生したコンテンツデータと同一内容のコンテンツデータを全て削除する削除要求を前記通信部から送信すること
を特徴とする記録再生装置。
【請求項８】
前記表示部は、前記選択画面を表示するか否かを設定する設定画面を前記表示装置に表示させること
を特徴とする請求項６記載の記録再生装置。
【請求項９】
コンテンツデータを記憶する記憶部と、
録画予約により、コンテンツデータを前記記憶部に記録する録画部と、
前記記憶部が記憶するコンテンツデータを削除する削除部と、
ネットワークを介して、家庭内ネットワークと通信する通信部と、
前記家庭内ネットワークに接続されている他の記録再生装置が記憶するコンテンツデータであって、前記削除部が削除したコンテンツデータと同一内容のコンテンツデータを削除するための削除要求を前記通信部から他の通信装置へ送信する削除要求部と
を備えることを特徴とする記録再生装置。
【請求項１０】
請求項９記載の記録再生装置であって、
前記他の記録再生装置に対し、前記録画部が録画する番組と同一内容の番組の録画要求を前記家庭内ネットワークに接続されている前記他の記録再生装置に録画させる録画要求を前記通信部から他の通信装置へ送信する録画要求部と
を備えることを特徴とする記録再生装置。
【請求項１１】
請求項９記載の記録再生装置であって、
前記通信部は、前記他の通信装置からのコンテンツデータの削除要求を受信し、
当該削除要求を受けたコンテンツデータと同一内容のコンテンツデータを前記記憶部が記憶しているか否かを判断する判断部
をさらに備えることを特徴とする記録再生装置。
【請求項１２】
前記判断部は、タイトル名、コンテンツデータの作成日時及びチャネルのうち少なくとも１つを比較することにより、同一内容のコンテンツデータであるか否かを判断すること
を特徴とする請求項１１記載の記録再生装置。
【請求項１３】
前記削除要求部は、前記削除部が削除したコンテンツデータに対応付けられた固有の識別子と同一の識別子を有するコンテンツデータの削除要求を前記通信部から送信すること
を特徴とする請求項９記載の記録再生装置。
【請求項１４】
請求項９記載の記録再生装置であって、
前記記憶部が記憶するコンテンツデータを再生する再生部と、
前記再生部によるコンテンツデータの再生終了後、当該コンテンツデータと同一内容のコンテンツデータであって、前記家庭内ネットワークに接続される前記他の記録再生装置が記憶するコンテンツデータを削除するか否かを選択させる選択画面を表示装置に表示させる表示部と
を備えることを特徴とする記録再生装置。
【請求項１５】
請求項９記載の記録再生装置であって、
前記記憶部が記憶するコンテンツデータを再生する再生部
をさらに備え、
前記削除要求部は、前記再生部によるコンテンツデータの再生終了後、前記家庭内ネットワークに接続される全ての前記他の記録再生装置に対し、前記再生部が再生したコンテンツデータと同一内容のコンテンツデータを全て削除する削除要求を前記通信部から前記他の通信装置に送信すること
を特徴とする記録再生装置。
【請求項１６】
前記表示部は、前記選択画面を表示するか否かを設定する設定画面を前記表示装置に表示させること
を特徴とする請求項１４記載の記録再生装置。
【発明の詳細な説明】
【技術分野】
【０００１】
本発明は、記録再生装置に関する。
【背景技術】
【０００２】
近年、例えばＨＤＤ（Ｈａｒｄ  Ｄｉｓｋ  Ｄｒｉｖｅ）等の大容量記録装置を内蔵し、放送波を符号化して当該大容量記憶装置等の記録媒体に録画する機能を有する記録再生装置が広く普及している。また、これらの記録再生装置の低価格化の進行により、一家に複数台の記録再生装置を有することも珍しくなくなりつつある。このような記録再生装置の例としては、例えば専用機の形で提供されるＨＤＤレコーダのような装置に加え、内蔵するＨＤＤや、例えばＥｔｈｅｒｎｅｔ（登録商標）を介して外部接続ＨＤＤに記録させる機能を持つテレビ、或いはチューナボードを搭載することにより同等機能を提供するＰＣ（Ｐｅｒｓｏｎａｌ  Ｃｏｍｐｕｔｅｒ）等を考えることができるが、ここではこれらの装置を総称して記録再生装置と呼ぶものとする。
【０００３】
一方、この中にはＥｔｈｅｒｎｅｔ（登録商標）の入出力装置を装備して互いの装置がネットワークを通じて接続することにより、取得したコンテンツデータ（音声データや映像データ等のＡＶ（Ａｕｄｉｏ／Ｖｉｓｕａｌ）データの総称）の移動等の機能を持つ記録再生装置も多い。さらに、あるコンテンツデータがどの記録装置に保存されているのかを意識することなくユーザが利用することのできるネットワーク技術も開発されている。
【０００４】
ところで、一家に複数台の記録再生装置が存在してコンテンツデータの所在を意識せずに利用できるようになっても、処理能力に応じて各記録再生装置にふさわしいコンテンツデータの品質が異なるのが通常である。例えば１台の記録再生装置に映像コンテンツデータを録画した場合、他の記録再生装置にそのコンテンツデータを移動して視聴する場合、再生する装置がもし記録時の品質より良い品質で視聴するのがふさわしい装置であれば、その性能を十分に発揮できていないことになる。逆に、記録時よりも低い品質で視聴するのがふさわしい装置であれば、もし当該コンテンツデータがコピー不可であって品質を落として移動せざるを得なければ、ユーザは二度とオリジナルの品質に戻すことはできない。
【０００５】
このような問題に対する解決はいくつか考えることができるが、一例として、同一の番組を複数の記録再生装置で記録し、冗長性を持たせる方法が挙げられる。この手法であれば、各記録再生装置単位で品質を気にすることなく映像コンテンツデータを作成（録画）したり視聴したりすることができる。
【０００６】
しかしながらこの手法には、一家庭内に同一内容（即ち同じ番組。録画品質等が異なるか否かは問わない）のコンテンツデータが複数存在することになるという課題がある。通常、記録再生装置が有するＨＤＤ等の記憶媒体の記憶容量には限りがあるため、ユーザはコンテンツデータを視聴して不要になった場合にはこれを消去する（例えば、特許文献１参照）。特許文献１には、ファイルの再生終了を検出した場合に、そのファイルを消去するかどうかをユーザに問い合わせ、その問い合わせに対してユーザが消去する旨を指示した場合に、当該ファイルを消去する記録再生装置が記載されている。
【特許文献１】特開２００５−１１７３５８号公報
【発明の開示】
【発明が解決しようとする課題】
【０００７】
しかしながら特許文献１の手法は、１つのファイルを再生した際にそのファイル自体を消去するものである。つまり、ネットワーク上に同一内容のコンテンツデータが存在する場合については全く考慮されていない。これにより、あるコンテンツデータが不要になり、ネットワーク上に存在する同一内容のコンテンツデータも消去する場合には、ユーザは各記録再生装置を操作し、其々のコンテンツデータをひとつひとつ消去していくことになる。もしユーザがこのような作業を怠れば、ネットワーク全体の記憶容量は、コンテンツデータの冗長性に合わせて飛躍的に消費されてしまう。
【０００８】
そこで本発明は、ネットワーク上に存在するコンテンツデータを効率的に消去することのできる記録再生装置を提供することを目的とする。
【課題を解決するための手段】
【０００９】
上記目的を達成するために、請求項１記載の記録再生装置は、コンテンツデータを記憶する記憶部と、録画予約により、コンテンツデータを前記記憶部に記録する録画部と、前記記憶部が記憶するコンテンツデータを削除する削除部と、ネットワークを介して他の記録再生装置と通信する通信部と、前記通信部を介して接続されている前記他の記録再生装置に対し、前記削除部が削除したコンテンツデータと同一内容のコンテンツデータの削除要求を前記通信部から送信する削除要求部とを備えることを特徴とする。
【００１０】
請求項９記載の記録再生装置は、コンテンツデータを記憶する記憶部と、録画予約により、コンテンツデータを前記記憶部に記録する録画部と、前記記憶部が記憶するコンテンツデータを削除する削除部と、ネットワークを介して、家庭内ネットワークと通信する通信部と、前記家庭内ネットワークに接続されている他の記録再生装置が記憶するコンテンツデータであって、前記削除部が削除したコンテンツデータと同一内容のコンテンツデータを削除するための削除要求を前記通信部から他の通信装置へ送信する削除要求部とを備えることを特徴とする。
【発明の効果】
【００１１】
本発明によれば、ネットワーク上に存在するコンテンツデータを効率的に消去することのできる記録再生装置を提供することができる。
【発明を実施するための最良の形態】
【００１２】
以下、本発明の記録再生装置について、図面を参照しながら説明する。
【実施例１】
【００１３】
図１は、本発明の実施例である記録再生装置が使用される通信システムの構成例を示す図である。通信システム１は、記録再生装置１１と、表示装置１２と、記録再生装置１３と、記録再生装置１４と、ルータ１６とから構成される。記録再生装置１１、記録再生装置１３、記録再生装置１４、記録再生装置１５と、ルータ１６とは、例えばＥｔｈｅｒｎｅｔ（登録商標）等を通じて家庭内ネットワーク１７に接続されている。
【００１４】
記録再生装置１１は、表示装置１２に接続されており、記録再生装置１１を再生して得られる映像信号や音声信号は表示装置１２に出力される。
記録再生装置１３乃至１５は、記録再生装置１１と同様に記録再生装置である。新しい機種への買い替え等、記録再生装置を一家で複数台所有することはあるが、表示装置は一般的には記録再生装置毎に準備されるものではないため、図１の記録再生装置１３及び１４のように、直接は表示装置に接続されないまま使用されることも考えられる。これら記録再生装置１１、１３、１４は、其々図示しないアンテナ線に接続され、放送波を受信することができる。
【００１５】
記録再生装置１１、１３、１４、１５は、先述の通りＥｔｈｅｒｎｅｔ（登録商標）等を通じて互いに家庭内ネットワーク１７に接続されている。各記録再生装置１１、１３、１４、１５は、この家庭内ネットワーク１７を通じてコンテンツデータの再生、複製（Ｃｏｐｙ）、移動（Ｍｏｖｅ）をすることもできる。尚、家庭内ネットワーク１６は有線ネットワークであるか無線ネットワークであるかを問わず、また、両者が混在することも考えられる。
【００１６】
記録再生装置１５は、携帯型で持ち運びを前提とした装置であり、図示しない内蔵アンテナで直接テレビ放送の電波を直接受信し、ＬＣＤ（Ｌｉｑｕｉｄ  Ｃｒｙｓｔａｌ  Ｄｉｓｐｌａｙ）等である内蔵する表示装置に表示させることができる。また、記録再生装置１５はアンテナで受信した映像をコンテンツデータとして内蔵する記録装置に保存したり、或いは多装置からコンテンツデータを移動し、当該コンテンツデータを外出時に視聴したりすることもできる。
【００１７】
ユーザが携帯、持ち運び可能な記録再生装置１５を家庭外に持ち出した例を図２に示す。尚、図２の破線内の装置は其々家庭内にあることを示す。
図２の記録再生装置１５は、公衆網１８と無線で接続され、家庭内ネットワーク１７と公衆網１８とはルータ１６で接続されている。しかしながらこの構成に限られるものではなく、例えば記録再生装置１５と公衆網１８との接続形態は無線でなくとも、ダイアルアップや有線接続などであっても良い。
【００１８】
公衆網１８にある記録再生装置１５と家庭内ネットワーク１７とは、ＶＰＮ（Ｖｉｒｔｕａｌ  Ｐｒｉｖａｔｅ  Ｎｅｔｗｏｒｋ）で接続されたり、図示しない通信装置である代理サーバ装置を介して情報のやり取りをしたり、電子メール機能を利用する等の方法により、家庭内ネットワーク１７に接続された記録再生装置１１、１３、１４に対して記録再生装置１５は様々な制御操作を行うことができる。
【００１９】
記録再生装置１１の構成を、図３を参照しながら説明する。図３は、記録再生装置１１の構成を示すブロック図である。尚、記録再生装置１３乃至１５についても基本的に同様の構成を持つので、説明は省略する。尚、図４、図７、図８の処理についても、特に明記した場合を除き記録再生装置１１による処理として説明しているが、記録再生装置１３乃至１５も同様の処理を行うことができるものとする。
【００２０】
記録再生装置１１は、全体の動作を制御する演算部１０１と、アンテナ２０から入力される放送波を受信するチューナ部１０２と、受信した放送波をデジタルのコンテンツデータへ符号化、変換するエンコード部１０３と、デジタルのコンテンツデータを復号し、映像へと変換するデコード部１０４と、変換された映像を表示装置１２等へ外部出力する映像出力部１０５と、デジタルデータをコンテンツデータとして記憶する記憶部１０６と、家庭内ネットワーク１７に接続されるネットワーク通信部１０７とを備える。
【００２１】
ここで、記憶部１０６は一般的にはＨＤＤ等の大容量記憶装置であるが、これは必ずしも内蔵している必要は無く、例えばＵＳＢ（Ｕｎｉｖｅｒｓａｌ  Ｓｅｒｉａｌ  Ｂｕｓ）等で接続された外部装置であっても良い。
【００２２】
また、映像出力部１０５は必ずしも外部の表示装置１２に出力する必要は無く、例えばＬＥＤ等の表示装置を内蔵し、そこに出力するようにしても良い。
ここで、記憶部１０６は、一般的にはＨＤＤ等の大容量記憶装置であるが、内蔵する場合のみならず、例えばＵＳＢ（Ｕｎｉｖｅｒｓａｌ  Ｓｅｒｉａｌ  Ｂｕｓ）等で接続された外部記憶装置であっても良い。
【００２３】
ネットワーク通信部１０７は、家庭内ネットワーク１７がルータ１６を介して接続される公衆網１８上のサーバ装置（図示せず）からＥＰＧ（Ｅｌｅｃｔｒｏｎｉｃ  Ｐｒｏｇｒａｍ  Ｇｕｉｄｅ）等の番組表情報を取得したり、家庭内ネットワーク１６を介した他の記録再生装置とコンテンツデータを送受信したりする際に使用する。
【００２４】
ところで、図１又は図２に示したように、家庭内に複数台の記録再生装置が存在し、コンテンツデータの所在を意識せずに利用できるようになったとしても、各映像記録再生装置の持つ処理能力に応じて、各映像記録再生装置に相応しいコンテンツデータの品質（たとえば、解像度やビットレート、符号化方式等）は其々異なる。
【００２５】
例えば、一台の記録再生装置に映像コンテンツデータを録画、記録した場合、他の記録再生装置にそのコンテンツデータを移動して視聴する際、もし記録した際の品質より高い品質で再生することのできる記録再生装置であれば、当該記録再生装置の再生機能を十分に発揮できていないことになる。逆に、記録した際の品質よりも低い品質で再生するのが好ましい記録再生装置である場合には、もし当該コンテンツデータがコピー不可であって品質をそれに合わせて低下させた上で移動せざるを得ないとすれば、二度とオリジナルの品質には戻せなくなる。
【００２６】
そこで、この課題を解決するべく、家庭内ネットワーク１７上の複数の装置で同じ番組を録画することが考えられる。その説明を図１の例を参照しながら簡単に説明する。
【００２７】
ある記録再生装置１１に対して、ユーザが番組予約の設定を行う。すると、記録再生装置１１の演算部１０１は、ネットワーク通信部１０７から、家庭内ネットワーク１７を構成する例えば全機器に対し、同じ番組に対する録画予約要求を一斉に行う。この録画予約要求は、個別に一台ずつ特定して行っても良いし、或いはマルチキャストやブロードキャストを利用して家庭内ネットワーク１７上の装置に対して一斉に送信しても良い。このような手法を採れば、各記録再生装置単位で品質を気にすることなく映像コンテンツデータを作成（録画）したり、再生したりすることができる。
【００２８】
しかしながら、この方法では、同一内容のコンテンツデータが一家庭内に複数存在することとなり、記録容量を多く消費する課題がある。記録容量の残量を確保するために、不要になったコンテンツデータを削除しようとすると、記録再生装置１１、１３、１４、１５の全ての装置に対し、削除するための操作が其々必要であり、ユーザにとって利便性に欠ける。
【００２９】
そこで、本実施例では、一台の装置に対してのみ削除操作するだけで、家庭内ネットワーク１７上のコンテンツデータを全て削除することのできる装置を提供する。以下、記録再生装置１１を例にとり、図４を参照しながら本実施例の削除動作について説明する。
【００３０】
まず、ユーザからの操作入力により、あるコンテンツデータの削除指示が入力される（Ｓ４０１）。指示を受けた記録再生装置１１の演算部１０１は、他の記録再生装置に記録されたコンテンツデータも合わせて削除するか否かを問い合わせる選択画面を作成し、映像出力部１０５から表示装置１２に対し表示させる（Ｓ４０２）。
【００３１】
図５は、演算部１０１が作成し、映像出力部１０５が表示装置１２に表示させる選択画面の例を示す図である。選択画面５０の例では、「他の装置に記録されている、同一タイトルのデータも合わせて削除しますか？」というメッセージを表示すると共に、「Ｙｅｓ」「Ｎｏ」のいずれかを選択させるためのアイコン５１及び５２を表示している。ここで、「同一タイトルのデータ」とは、他の記録再生装置１３乃至１５が記憶する同じ番組（同一時間帯に同一のチャネルで放送された番組）に関する同一内容のコンテンツデータのことであり、これらのコンテンツデータは同じ時刻に生成される。これらのコンテンツデータの品質（解像度、ビットレート等）が同一であるかは問わない。
【００３２】
他の記録再生装置が記憶するコンテンツデータを削除しても良いとの指示がユーザから入力されると、記録再生装置１１は、家庭内ネットワーク１７に接続されている他の記録再生装置１３、１４、１５に対して、同一タイトルのコンテンツデータの削除要求を送信し（Ｓ４０３）、削除要求を受けた記録再生装置１３乃至１５は、削除要求を受けた同一タイトルのコンテンツデータを記憶しているか否かを検索し、見つかった場合、これを削除する（Ｓ４０４）。
【００３３】
ここで、削除要求を受けた記録再生装置１３乃至１５が同一タイトルであるか否かの判断方法はいくつか考えられるが、例えばコンテンツデータが有するタイトル名や録画日時、チャネル番号名等、コンテンツデータを識別することが可能なパラメータを削除要求内に入れておけば、記録再生装置は当該パラメータの値が一致するコンテンツデータを同一タイトルと認識することができる。
【００３４】
尚、上記のＳ４０２の説明では、問い合わせとして同一タイトルのコンテンツデータを削除するか否かのみを問い、削除する場合は家庭内ネットワーク１７内の全装置に存在する同一タイトルのコンテンツデータを削除している。しかしながら、この手法に限られるものではない。例えば、削除する対象の記録再生装置をユーザに選択させても良い。どちらの方法を採るのがより好ましいかは、利用の思想により異なる。前者の全て削除させる手法は１度の操作で全ての操作を完了させることができる利点があり、後者の削除する記録再生装置をユーザに選択させる場合には、例えば「最高品質の映像は残す」といった選択の余地をユーザに与えることができる。
【００３５】
また、上述の方法では家庭内ネットワーク１７上の記録再生装置全てに対し削除要求を送信していたがこれに限られるものではなく、例えば予め登録されていた記録再生装置（たとえば記録再生装置１４及び１５）だけに送信するようにしてもよい。
【００３６】
更に、上記説明では演算部１０１がネットワーク通信部１０７か家庭内ネットワーク１７から削除要求を送信することにより、他の記録再生装置のコンテンツデータを削除しているが、例えば家庭内ネットワーク１７に接続されていない、或いは電源が入っていない等の理由により、削除要求を受ける側の映像記録装置が削除を実行できない可能性もある。
【００３７】
そこで、削除の確実性を高める手法としてはいくつか考えられ、何度か削除要求を再送する方法や、Ｗａｋｅ  Ｏｎ  ＬＡＮにより他の記録再生装置の電源を投入した後に削除要求を送信する方法等も考えられるが、ここではメールサーバをはさんで行う処理について説明する。
【００３８】
図６は、メールサーバ１９を挟んで同一タイトルの削除を行う手法を使用する場合の通信システム１の構成を示す図である。
削除要求を行う映像記録再生装置１１は、メールサーバ１９に対してタイトルを指定したコンテンツデータの削除要求を記載したメールを送信する。他の映像記録装置１３乃至１５は定期的にメールサーバ１９に対して問い合わせを行い、新着メールを受信した時点で指示を実行すれば、削除要求時の家庭内ネットワーク１７の状態に依存しないため、削除が実行される確実性を増すことができる。
【００３９】
尚、削除動作については、他の利用形態を考えることもできる。以下、図７を参照しながら他の利用形態の削除動作を説明する。
図７の開始時点において、記録再生装置１１は、演算部１０１による指示の下、記憶部１０６に記憶するコンテンツデータをデコード部１０４でデコードして表示装置１２等に表示する再生処理を行っている（Ｓ７０１）。換言すると、ユーザはコンテンツデータを視聴している。
【００４０】
コンテンツデータの再生が終了すると（Ｓ７０２）、演算部１０１は、他の記録再生装置に存在する同一タイトルを削除しても良いかどうかを問い合わせる（Ｓ７０３）。この問い合わせる方法は、図４のＳ４０２と同様、例えば図５のような選択画面５０を表示させれば良い。
【００４１】
削除しても良いとの指示がユーザから与えられると、記録再生装置１１は家庭内ネットワーク１７に接続されている他の記録再生装置に対して同一タイトルのコンテンツデータの削除要求を送信する。削除要求を受けた記録再生装置１３乃至１５は、自身の記録装置が保存しているコンテンツデータの中から削除要求を受けた同一タイトルのコンテンツデータを検索し、見つかった場合、これを削除する（Ｓ７０５）。
【００４２】
或いは、番組予約時点からコンテンツ削除についての方針を決定するようにしてもよい。この場合の処理について、図８を参照しながら説明する。
まず演算部１０１は、ユーザからの入力に応じ、演算部１０１は録画予約を設定する（Ｓ８０１）。この録画予約の設定は、記録再生装置１１自身に対してのみならず、家庭内ネットワーク１７に接続される他の記録再生装置１３乃至１５に対しても行えるものとする。この予約指示の手順については、ここでは説明を省略するが、番組予約では利用者が予約対象の記録再生装置を選択し、選択された映像記録再生装置に対して家庭内ネットワーク１７を通じて録画予約要求を送信する。また、当該録画予約要求には固有の識別子を付与してもよい。固有の識別子を付与しておけば、当該予約要求に応じて作成されたコンテンツデータを削除する際、当該識別子を指定して削除要求を行うことができるので便利である。
【００４３】
更に、Ｓ８０１の録画予約設定の処理内で、当該録画予約を実行した後に作成されるコンテンツデータの再生後、図５に例を示したような削除を問い合わせる選択画面５０を表示するか否かを設定する設定画面を表示し、ユーザに設定させる。
【００４４】
図９にこの設定画面の例を示す。図９の例では、「視聴後、データを削除するか否かを問い合わせる画面を表示しますか？」というメッセージと共に、表示するかしないかを設定するためのアイコン９１及び９２を表示している。
【００４５】
予約要求を受信した記録再生装置（ここでは記録再生装置１３を例に説明する）は、録画要求に基づいて録画予約を設定する。所定の録画開始時刻になると、記録再生装置１１及び録画再生装置１３は録画処理を行い、コンテンツデータを記憶装置に記録する（Ｓ８０２）。
【００４６】
コンテンツデータの録画後、ユーザは当該タイトルコンテンツが記録されている１以上の記録再生装置から所望の装置を選択し、コンテンツデータの再生、視聴を行う（Ｓ８０３）。当該コンテンツデータの再生が終了すると（Ｓ８０４）、もし図９に例を示した設定画面９０でユーザが選択画面５０を表示する旨の設定をしていれば選択画面５０の表示を行い、視聴したコンテンツデータと同一タイトルのコンテンツデータを削除してもよいかどうかの問い合わせを行う（Ｓ８０５）。
【００４７】
ユーザが削除を許可すると、記録再生装置１１は、自身の記録装置内に存在するコンテンツデータを削除すると共に、他の記録再生装置（ここでは記録再生装置１３）が記録する同一タイトルのコンテンツデータの削除要求を送信する（Ｓ８０６）。コンテンツ削除要求を受信した記録再生装置１３は、自身の記録装置内に存在する当該タイトルのコンテンツデータを検索し、見つかれば削除を行う（Ｓ８０７）。
【００４８】
尚、録画要求に固有の識別子の管理方法としては、いくつか考えられるが、例えば録画コンテンツデータの任意に格納できるフィールドに埋め込む方法や、固有の識別子の管理リストを作成し、その管理リストで識別子とその識別子に対応するコンテンツデータの組み合わせを管理する方法である。
【００４９】
以上説明したように、本実施例によれば、ある記録再生装置のコンテンツデータを削除すると共に、他の記録再生装置が記憶する同一タイトルのコンテンツデータも合わせて削除することができるため、ユーザの利便性を向上させることができる。
【図面の簡単な説明】
【００５０】
【図１】本発明の実施例１に係る通信システムの構成を示す図。
【図２】本発明の実施例１に係る通信システムの構成を示す図。
【図３】本発明の実施例１に係る記録再生装置の構成を示す図。
【図４】本発明の実施例１に係る通信システムの削除処理の流れを示す図。
【図５】本発明の実施例１に係る記録再生装置が表示する選択画面の例を示す図。
【図６】本発明の実施例１に係る通信システムの構成を示す図。
【図７】本発明の実施例１に係る通信システムの削除処理の流れを示す図。
【図８】本発明の実施例１に係る通信システムの削除処理の流れを示す図。
【図９】本発明の実施例１に係る記録再生装置が表示する選択画面の例を示す図。
【符号の説明】
【００５１】
１・・・通信システム
１１、１３、１４、１５・・・記録再生装置
１２・・・表示装置
１６・・・ルータ
１７・・・家庭内ネットワーク
１８・・・公衆網
１９・・・メールサーバ
２０・・・アンテナ
５０・・・選択画面
５１、５２・・・アイコン
９０・・・設定画面
９１、９２・・・アイコン
１０１・・・演算部
１０２・・・チューナ部
１０３・・・エンコード部
１０４・・・デコード部
１０５・・・映像出力部
１０６・・・記憶部
１０７・・・ネットワーク通信部
【図１】
2008092209.tif 000003
【図２】
2008092209.tif 000004
【図３】
2008092209.tif 000005
【図４】
2008092209.tif 000006
【図５】
2008092209.tif 000007
【図６】
2008092209.tif 000008
【図７】
2008092209.tif 000009
【図８】
2008092209.tif 000010
【図９】
2008092209.tif 000011